(57)【要約】【課題】上管台に保持されるケーブル収容管の曲げ具合に関係なく、上下のケーブル収容管を安定して保持することができる管台セットを提供する。【解決手段】管台セットの上管台の第二部材２２の底面２２１には、ガイド突起２５が設けられている。このガイド突起２５は、横ガイド溝３４内で横に回転するように形成されている。したがって、作業者は、例えば、第二部材２２を右回りに所定角度回転させると、ガイド突起２５が右回りに所定角度回転することにより、第二部材２２が第一部材３１の上面３１１に対して斜めに位置される。【選択図】図９
2010142069.tif 000002
【特許請求の範囲】
【請求項１】
内部にケーブル収容管を挿通させるための保持穴を有する下管台の上面に、前記保持穴を有する上管台の底面を組み付けて構成される管台セットであって、
前記上管台の底面または前記下管台の上面の一方側の面には、当該一方側の面の前後一端から他端側へ前後方向に沿って延びる直線状の縦ガイド溝と、この縦ガイド溝に設定された組み付け位置に結合して左右方向に延びる直線状の横ガイド溝とが設けられ、他方側の面には円形状のガイド突起が設けられ、
このガイド突起は、前記上管台の組み付け時に、前記上管台を前記下管台の前方側または後方側から当該下管台の上面に平行に載せることにより前記縦ガイド溝内に挿入され、この状態から前記上管台が前記下管台と上下に並列するように当該上管台を後方または前方へ移動させることにより前記縦ガイド溝に係合しながら当該縦ガイド溝内を前記組み付け位置まで移動するように構成され、当該組み付け位置に位置した場合には、前記横ガイド溝に係合しながら当該横ガイド溝内を移動することにより前記上管台を前記下管台の上面で左右にスライド移動させる一方、前記横ガイド溝内で左右に回転することにより前記上管台を左右に回転させて、当該上管台を前記下管台の上面に対して斜めに位置させるように構成されていることを特徴とする管台セット。
【発明の詳細な説明】
【技術分野】
【０００１】
本件発明は、上管台と下管台とから構成される管台セットに関する。
【背景技術】
【０００２】
従来より、電力ケーブルや通信ケーブル等のケーブルを地下に埋設する場合には、地下に設置されている共同溝に複数のケーブル収容管を配置し、各ケーブル収容管に電力ケーブルや通信ケーブルを収容している。このときに、二つのケーブル収容管を上下に並列して配置する場合には、例えば、特許文献１に記載されているような管台セット１２が使用されている。
【０００３】
この管台セット１２は、下管台１４に上管台１３を載せて組み付けることにより構成されており、各管台１３、１４の内部には、ケーブル収容管１０、１１を挿通させる保持孔１３ｇ、１７が設けられている。また、上管台１３が下管台１４に対して左右にスライド移動するように構成されている。このため、曲がったケーブル収容管を上下に並列して配置する場合であっても、上管台１３を左右一方に移動させることにより、ケーブル収容管を安定して保持することが可能になっている。
【特許文献１】特開２００８−１５７３７６号公報
【発明の開示】
【発明が解決しようとする課題】
【０００４】
しかしながら、従来の管台セット１２は、上側のケーブル収容管が、下側のケーブル収容管よりも大きく曲がっている場合には、上管台１３を限界まで移動させても、上側のケーブル収容管を無理やり挿通させることになり、上下のケーブル収容管を安定して保持することが難しかった。
【０００５】
本件発明は、かかる従来の課題に鑑みてなされたものであり、上管台に保持されるケーブル収容管の曲げ具合に関係なく、上下のケーブル収容管を安定して保持することができる管台セットを提供することを目的とする。
【課題を解決するための手段】
【０００６】
前記課題を解決するために本件発明の請求項１に記載の管台セットは、内部にケーブル収容管を挿通させるための保持穴を有する下管台の上面に、前記保持穴を有する上管台の底面を組み付けて構成される管台セットであって、前記上管台の底面または前記下管台の上面の一方側の面には、当該一方側の面の前後一端から他端側へ前後方向に沿って延びる直線状の縦ガイド溝と、この縦ガイド溝に設定された組み付け位置に結合して左右方向に延びる直線状の横ガイド溝とが設けられ、他方側の面には円形状のガイド突起が設けられ、このガイド突起は、前記上管台の組み付け時に、前記上管台を前記下管台の前方側または後方側から当該下管台の上面に平行に載せることにより前記縦ガイド溝内に挿入され、この状態から前記上管台が前記下管台と上下に並列するように当該上管台を後方または前方へ移動させることにより前記縦ガイド溝に係合しながら当該縦ガイド溝内を前記組み付け位置まで移動するように構成され、当該組み付け位置に位置した場合には、前記横ガイド溝に係合しながら当該横ガイド溝内を移動することにより前記上管台を前記下管台の上面で左右にスライド移動させる一方、前記横ガイド溝内で左右に回転することにより前記上管台を左右に回転させて、当該上管台を前記下管台の上面に対して斜めに位置させるように構成されていることを特徴としている。
【発明の効果】
【０００７】
本件発明の請求項１に記載の管台セットでは、ガイド突起を円形に形成して、このガイド突起が横ガイド溝内で横に回転することにより上管台を左右に回転させて下管台に対して斜めに位置するようにした。したがって、上管台に保持されるケーブル収容管が下管台に保持されるケーブル収容管に対して大きく曲げられたものであっても、このケーブル収容管を上管台の保持穴に容易に挿通させることができる。よって、請求項１に記載の管台セットは、上管台に保持されるケーブル収容管の曲げ具合に関係なく、上下のケーブル収容管を安定して保持することができる。
【発明を実施するための最良の形態】
【０００８】
以下、本件発明の実施の形態を図にしたがって説明する。
【０００９】
図１は、本件発明の一実施の形態を示す管台セット１の正面図である。この管台セット１は、上管台２と、下管台３とから構成されている。
【００１０】
まず、下管台３の構造について説明する。この下管台３は、外形形状が直方体状であり、第一部材３１と第二部材３２とが上下に結合して構成されている。
【００１１】
第二部材３２の上面側には、断面半円状の凹部３２ｈが形成されている。一方、第一部材３１の底面側にも、断面半円状の凹部３１ｈが形成されている。双方の凹部３１ｈ、３２ｈは、下管台３の保持穴３ｈを形成している。この保持穴３ｈにはケーブル収容管１０が挿通され、このケーブル収容管１０には複数のケーブル１０ａが収容される。
【００１２】
また、図２に示すように、第一部材３１の上面３１１（下管台３の上面）には、縦ガイド溝３３と横ガイド溝３４とが設けられている。
【００１３】
縦ガイド溝３３は、上面３１１の前後方向に沿って、上面３１１の左右中間部分の前後端３１１ａ、３１１ｂを繋ぐように設けられており、直線状に形成されている。また、横ガイド溝３４は、縦ガイド溝３３の中間部３３ｓ（組み付け位置）を通って左右方向に延びるように設けられており、直線状に形成されている。
【００１４】
次に、上管台２の構造について説明する。図１に示すように、上管台２は、外形形状が直方体状であり、横幅が下管台３よりも短く設定されている。さらに、この上管台２は、第一部材２１と第二部材２２とが上下に結合して構成されている。
【００１５】
第一部材２１の底面側には、断面半円状の凹部２１ｈが形成されている。一方、第二部材２２の上面側にも、断面半円状の凹部２２ｈが形成されている。双方の凹部２１ｈ、２２ｈは、上管台２の保持穴２ｈを形成している。この保持穴２ｈにはケーブル収容管１１が挿通され、このケーブル収容管１１には複数のケーブル１１ａが収容される。
【００１６】
また、図２に示すように、第二部材２２の底面２２１（上管台２の底面）の中央部分には、ガイド突起２５が設けられている。このガイド突起２５は円形状に形成されている。また、このガイド突起２５は、組み付け時に、下管台３側の縦ガイド溝３３や横ガイド溝３４に対応している。具体的には、ガイド突起２５は、縦ガイド溝３３や横ガイド溝３４に係合しながら移動するように形成され、また、横ガイド溝３４内で左右に回転するように形成されている。
【００１７】
以上のように構成されている管台セット１において、上管台２の組み付け作業について説明する。本実施の形態の管台セット１では、上管台２の第二部材２２が下管台３の第一部材３１に組み付けられるため、この第二部材２２の組み付け作業について説明する。
【００１８】
作業者は、まず、図３に示すように、第二部材２２を第一部材３１の後方側から第一部材３１の上面３１１に平行に載せて、図４に示すように第二部材２２のガイド突起２５を第一部材３１の縦ガイド溝３３内に挿入する。続いて、作業者は、第二部材２２が第一部材３１と上下で並列するまで第二部材２２を前方Ｆへ動かす。これにより、ガイド突起２５が縦ガイド溝３３に係合しながら縦ガイド溝３３内の組み付け位置３３ｓまで移動する。その結果、第二部材２２は、図５や図６に示すように第一部材３１と上下で並列して位置され、第二部材２２の組み付け作業が終了する。
【００１９】
また、本実施の形態の管台セット１では、第一部材３１に横ガイド溝３４が設けられている。このため、作業者は、例えば、第二部材２２を図５の状態から左Ｌへ動かすと、図７に示すように、第二部材２２のガイド突起２５が組み付け位置３３ｓから横ガイド溝３４に係合しながら横ガイド溝３４内を左へ移動する。これに伴い、図６および図８に示すように、第二部材２２は第一部材３１の上面３１１を左にスライドしながら移動する。
【００２０】
また、図示しないが、作業者が第二部材２２を図５の状態から右に動かす場合も、ガイド突起２５が横ガイド溝３４内を右に移動することにより、第二部材２２は第一部材３１の上面３１１を右にスライドしながら移動する。
【００２１】
したがって、本実施の形態の管台セット１は、第二部材２２を第一部材３１の上面３１１で左右にスライド移動させることができる。このため、作業者は、ケーブル収容管１０、１１が曲がったものであっても、上管台２（第二部材２２）を左右一方にスライド移動させて所定位置に配置させれば、これらのケーブル収容管１０、１１を各保持穴２ｈ、３ｈに容易に挿通させることができる。よって、本実施の形態の管台セット１は、曲がったケーブル収容管も安定して保持することができる。
【００２２】
さらに、ガイド突起２５は、前述したように、横ガイド溝３４内で左右に回転するように形成されている。したがって、作業者は、図８の第二部材２２を右回り（矢印方向Ｓ）に所定角度回転させると、図９に示すように、ガイド突起２５が右回りに所定角度回転する。これにより、第二部材２２は、図１０に示すように、第一部材３１の上面３１１に対して斜めに位置される。
【００２３】
したがって、本実施の形態の管台セット１は、上管台２に保持されるケーブル収容管１１が下管台３に保持されるケーブル収容管１０に対して大きく曲げられたものであっても、第二部材２２を左右一方に回転させて斜めに位置させることにより、大きく曲がったケーブル収容管１１を安定して保持することができる。よって、本実施の形態の管台セット１は、上管台２に保持されるケーブル収容管１０の曲げ具合に関係なく、上下のケーブル収容管１０、１１を安定して保持することができる。
【００２４】
以上、本件発明にかかる実施の形態を例示したが、この実施の形態は本件発明の内容を限定するものではない。また、本件発明の要旨を逸脱しない範囲であれば、各種の変更等は可能である。例えば、本実施の形態の管台セット１では、上管台２側にガイド突起２５を設け、下管台３側に縦ガイド溝３３および横ガイド溝３４を設けたが、上管台２側に縦ガイド溝および横ガイド溝を設け、下管台３側にガイド突起を設けても良い。
【産業上の利用可能性】
【００２５】
以上説明したように本件発明の管台セットは、上管台に保持されるケーブル収容管の曲げ具合に関係なく、上下のケーブル収容管を安定して保持することができる。よって、本件発明の管台セットを、管台の技術分野で十分に利用することができる。
【図面の簡単な説明】
【００２６】
【図１】本件発明の一実施の形態を示す管台セットの正面図である。
【図２】上管台および下管台の組み付け部分を示す斜視図である。
【図３】上管台の組み付け開始の状態を示す斜視図である。
【図４】図３の状態を示す模式図である。
【図５】上管台が下管台に組み付けられた状態を示す模式図である。
【図６】図５の状態を示す斜視図である。
【図７】図５の状態から上管台を左に移動させた状態を示す模式図である。
【図８】図６の状態から上管台を左に移動させた状態を示す斜視図である。
【図９】図７の状態から上管台を右回りに回転させた状態を示す模式図である。
【図１０】図９の状態を示す斜視図である。
【符号の説明】
【００２７】
１    管台セット
２    上管台
２ｈ    保持穴
３    下管台
３ｈ    保持穴
２２    第二部材
２５    ガイド突起
３１    第一部材
３３    縦ガイド溝
３３ｓ    組み付け位置
３４    横ガイド溝
２２１    底面
３１１    上面
３１１ａ    上面の前端
３１１ｂ    上面の後端
【図１】
2010142069.tif 000003
【図２】
2010142069.tif 000004
【図３】
2010142069.tif 000005
【図４】
2010142069.tif 000006
【図５】
2010142069.tif 000007
【図６】
2010142069.tif 000008
【図７】
2010142069.tif 000009
【図８】
2010142069.tif 000010
【図９】
2010142069.tif 000011
【図１０】
2010142069.tif 000012